(57)【要約】  本発明は、発展型パケットシステム（ＥＰＳ）モバイル通信ネットワークのコアネットワークにアタッチされたユーザ機器によるＧＳＭ／ＵＭＴＳモバイル通信ネットワークの使用方法に関し、ＧＳＭ／ＵＭＴＳモバイル通信ネットワークの使用はフォールバック動作の結果であり、フォールバック動作の始動前に、ユーザ機器へのロケーションエリアコード（ＬＡＣ）及び／又はサービス提供モバイル交換局（ＭＳＣ）の割当てに関する更新動作のステップ、及び／又はユーザ機器現在のＧＥＲＡＮ／ＵＴＲＡＮ無線環境に関する測定動作のステップのうちの少なくとも１つが行われる。【選択図】図１
2014511585.tif 000002
【特許請求の範囲】
【請求項１】
発展型パケットシステム（ＥＰＳ）モバイル通信ネットワークのコアネットワーク（１０）にアタッチされたユーザ機器（２０）によるＧＳＭ／ＵＭＴＳモバイル通信ネットワークの使用方法であって、前記ＧＳＭ／ＵＭＴＳモバイル通信ネットワークの前記使用はフォールバック動作の結果であり、前記フォールバック動作をトリガするサービスの起動前に、
前記ユーザ機器（２０）へのロケーションエリアコード（ＬＡＣ）及び／又はサービス提供モバイル交換局（ＭＳＣ）の割当てに関する更新動作が行われるステップであって、該更新動作は、
前記ロケーションエリアコード（ＬＡＣ）及び／又は前記サービス提供モバイル交換局（ＭＳＣ）の前記割当て又は再割当てに特化した専用動作、又は
変更されたＴＡＵ動作、
である、ステップ、及び／又は
前記ユーザ機器（２０）の潜在的なＣＳＦＢターゲットセルを特定するための、現在のＧＥＲＡＮ／ＵＴＲＡＮ無線環境に関する測定動作が前記ユーザ機器によって自律的に実行されるステップ、
のうちの少なくとも１つが行われる、方法。
【請求項２】
前記ユーザ機器（２０）の前記現在のＧＥＲＡＮ／ＵＴＲＡＮ無線環境に関する前記更新動作及び／又は前記測定動作は、前記ユーザ機器（２０）が前記発展型パケットシステム（ＥＰＳ）及び前記ＧＳＭ／ＵＭＴＳモバイル通信ネットワークにアタッチされている場合に実行される、請求項１に記載の方法。
【請求項３】
前記更新動作の実行は、
前記更新動作が、タイマ３４１２を用いたＴＡＵ動作と比較して低減した反復期間を有すること、
サービス提供Ｅ−ＵＴＲＡＮセルが変更される場合に前記更新動作が実行されること、
最後の更新動作の後又は前記ユーザ機器（２０）がアクティブモードからアイドルモードに最後に変更した後の最大時間期間後に前記更新動作が実行されること、
前記更新動作が、前記コアネットワーク（１０）からの要求時に実行されること、
前記ユーザ機器（２０）が該ユーザ機器（２０）の移動を検出した場合に前記更新動作が実行されること、
前記ユーザ機器（２０）が、フォールバック動作のための候補ターゲットＧＥＲＡＮ／ＵＴＲＡＮセルのうちの少なくとも１つが、前記ユーザ機器（２０）に現在割り当てられているのと異なるロケーションエリアに属することを検出した場合に前記更新動作が実行されること、
のうちの少なくとも１つに依拠する、請求項１又は２に記載の方法。
【請求項４】
前記更新動作は、
前回の更新動作からの前記ユーザ機器（２０）の移動に関する移動情報、
現在の受信可能なＧＥＲＡＮ／ＵＴＲＡＮ近傍セル及び／又はそれらのロケーションエリアに関する無線環境情報、
現在の受信可能なＥ−ＵＴＲＡＮ近傍セル及び／又はそれらの追跡エリアに関する無線環境情報、
のうちの少なくとも１つに依拠して少なくとも情報を交換することを含む、請求項１〜３のいずれか１項に記載の方法。
【請求項５】
前記ＧＳＭ／ＵＭＴＳモバイル通信ネットワーク内の前記ユーザ機器（２０）の前記現在のＧＥＲＡＮ／ＵＴＲＡＮ無線環境に関する前記測定動作は、
前記ユーザ機器（２０）の前記現在のＧＥＲＡＮ／ＵＴＲＡＮ無線環境に関する前記測定動作が所定の繰返し期間を有すること、
サービス提供Ｅ−ＵＴＲＡＮセルが変更された場合に前記ユーザ機器（２０）の前記現在のＧＥＲＡＮ／ＵＴＲＡＮ無線環境に関する前記測定動作が実行されること、
前記ユーザ機器（２０）がアクティブモードからアイドルモードに最後に変更した後の最大時間期間後に前記ユーザ機器（２０）の前記現在のＧＥＲＡＮ／ＵＴＲＡＮ無線環境に関する前記測定動作が実行されること、
前記ユーザ機器（２０）が該ユーザ機器（２０）の移動を検出した場合に、前記ユーザ機器（２０）の前記現在のＧＥＲＡＮ／ＵＴＲＡＮ無線環境に関する前記測定動作が実行されること、
前記ユーザ機器（２０）が、フォールバック動作のための候補ターゲットＧＥＲＡＮ／ＵＴＲＡＮセルのうちの少なくとも１つが、前記ユーザ機器（２０）に現在割り当てられているのと異なるロケーションエリアに属することを検出した場合に、前記ユーザ機器（２０）の前記現在のＧＥＲＡＮ／ＵＴＲＡＮ無線環境に関する前記測定動作が実行されること、
ＧＳＭ／ＵＭＴＳ接続性を通常要求する前記ユーザ機器（２０）のアプリケーション、特に電話アプリケーションがアクティベートされた場合に、前記ユーザ機器（２０）の前記現在のＧＥＲＡＮ／ＵＴＲＡＮ無線環境に関する前記測定動作が実行されること、
のうちの少なくとも１つに依拠する、請求項１〜４のいずれか１項に記載の方法。
【請求項６】
請求項５に記載の方法であって、該方法によって前記測定情報は前記測定されたセルの前記ＬＡＩを含み、それにより前記ネットワークは、同じロケーションエリア内にあるターゲットセル、又は前記ユーザ機器に現在割当てられているのと同じＭＳＣによってホスティングされているターゲットセルを選択するために前記ＬＡＩを考慮に入れる、方法。
【請求項７】
前記ユーザ機器（２０）は第１の無線インタフェース（２１）及び第２の無線インタフェース（２２）を含み、前記第１の無線インタフェース（２１）は前記発展型パケットシステム（ＥＰＳ）における前記ユーザ機器（２０）の通信のために用いることができ、前記第２の無線インタフェース（２２）は、
前記ユーザ機器（２０）の現在の全体無線環境に関する監視動作、又は
前記受信可能なＧＥＲＡＮ／ＵＴＲＡＮ近傍セルに関する前記測定動作、又は
ＣＳＦＢのための候補ターゲットセル（のうちの幾つか）が前記ユーザ機器（２０）に現在割り当てられているのと異なるロケーションエリアに属することを検出する前記観察、
のうちの少なくとも１つのために用いることができる、請求項１〜６のいずれか１項に記載の方法。
【請求項８】
発展型パケットシステム（ＥＰＳ）モバイル通信ネットワークのコアネットワーク（１０）にアタッチされたユーザ機器（２０）によるＧＳＭ／ＵＭＴＳモバイル通信ネットワークの使用のための該ユーザ機器（２０）であって、前記ＧＳＭ／ＵＭＴＳモバイル通信ネットワークの前記使用はフォールバック動作の結果であり、該ユーザ機器（２０）へのロケーションエリアコード（ＬＡＣ）及び／又はサービス提供モバイル交換局（ＭＳＣ）の割当てに関する更新動作、及び／又は該ユーザ機器（２０）の潜在的なＣＳＦＢターゲットセルを特定するための現在のＧＥＲＡＮ／ＵＴＲＡＮ無線環境に関する測定動作が、前記フォールバック動作をトリガするサービスの起動の前に該ユーザ機器によって自律的に実行されるように該ユーザ機器（２０）が提供され、前記更新動作は、前記ロケーションエリアコード（ＬＡＣ）及び／又は前記サービス提供モバイル交換局（ＭＳＣ）の前記割当て又は再割当てに特化した専用動作、又は変更されたＴＡＵ動作である、ユーザ機器。
【請求項９】
請求項８に記載のユーザ機器（２０）であって、
前記更新動作の実行は、
前記更新動作が、タイマ３４１２を用いたＴＡＵ動作と比較して低減した反復期間を有すること、
サービス提供Ｅ−ＵＴＲＡＮセルが変更される場合に前記更新動作が実行されること、
最後の更新動作の後又は前記ユーザ機器（２０）がアクティブモードからアイドルモードに最後に変更した後の最大時間期間後に前記更新動作が実行されること、
前記更新動作が、前記コアネットワーク（１０）からの要求時に実行されること、
前記ユーザ機器（２０）が該ユーザ機器（２０）の移動を検出した場合に前記更新動作が実行されること、
前記ユーザ機器（２０）が、フォールバック動作のための候補ターゲットＧＥＲＡＮ／ＵＴＲＡＮセルのうちの少なくとも１つが、前記ユーザ機器（２０）に現在割り当てられているのと異なるロケーションエリアに属することを検出した場合に前記更新動作が実行されること、
のうちの少なくとも１つに依拠する、ユーザ機器。
【請求項１０】
請求項８又は９に記載のユーザ機器（２０）であって、前記更新動作は、
前回の更新動作からの前記ユーザ機器（２０）の移動に関する移動情報、
現在の受信可能なＧＥＲＡＮ／ＵＴＲＡＮ近傍セル及び／又はそれらのロケーションエリアに関する無線環境情報、
現在の受信可能なＥ−ＵＴＲＡＮ近傍セル及び／又はそれらの追跡エリアに関する無線環境情報、
のうちの少なくとも１つに依拠して少なくとも情報を交換することを含む、ユーザ機器。
【請求項１１】
請求項８〜１０のいずれか１項に記載のユーザ機器（２０）であって、
前記ＧＳＭ／ＵＭＴＳモバイル通信ネットワーク内の前記ユーザ機器（２０）の前記現在のＧＥＲＡＮ／ＵＴＲＡＮ無線環境に関する前記測定動作は、
前記ユーザ機器（２０）の前記現在のＧＥＲＡＮ／ＵＴＲＡＮ無線環境に関する前記測定動作が所定の繰返し期間を有すること、
サービス提供Ｅ−ＵＴＲＡＮセルが変更された場合に前記ユーザ機器（２０）の前記現在のＧＥＲＡＮ／ＵＴＲＡＮ無線環境に関する前記測定動作が実行されること、
前記ユーザ機器（２０）がアクティブモードからアイドルモードに最後に変更した後の最大時間期間後に前記ユーザ機器（２０）の前記現在のＧＥＲＡＮ／ＵＴＲＡＮ無線環境に関する前記測定動作が実行されること、
前記更新動作が、前記コアネットワーク（１０）からの要求時に実行されること、
前記ユーザ機器（２０）が該ユーザ機器（２０）の移動を検出した場合に、前記ユーザ機器（２０）の前記現在のＧＥＲＡＮ／ＵＴＲＡＮ無線環境に関する前記測定動作が実行されること、
前記ユーザ機器（２０）が、フォールバック動作のための候補ターゲットＧＥＲＡＮ／ＵＴＲＡＮセルのうちの少なくとも１つが、前記ユーザ機器（２０）に現在割り当てられているのと異なるロケーションエリアに属することを検出した場合に、前記ユーザ機器（２０）の前記現在のＧＥＲＡＮ／ＵＴＲＡＮ無線環境に関する前記測定動作が実行されること、
ＧＳＭ／ＵＭＴＳ接続性を通常要求する前記ユーザ機器（２０）のアプリケーション、特に電話アプリケーションがアクティベートされた場合に、前記ユーザ機器（２０）の前記現在のＧＥＲＡＮ／ＵＴＲＡＮ無線環境に関する前記測定動作が実行されること、
のうちの少なくとも１つに依拠する、ユーザ機器。
【請求項１２】
請求項８〜１１のいずれか１項に記載のユーザ機器（２０）であって、
前記ユーザ機器（２０）は、該ユーザ機器（２０）の移動又は位置の変化を検出するために、
ＧＮＳＳ（全地球的航法衛星システム）モジュール、及び／又は
加速度センサ、
を備える、ユーザ機器。
【請求項１３】
請求項８〜１２のいずれか１項に記載のユーザ機器（２０）であって、
前記ユーザ機器（２０）は第１の無線インタフェース（２１）及び第２の無線インタフェース（２２）を備え、前記第１の無線インタフェース（２１）は発展型パケットシステム（ＥＰＳ）における前記ユーザ機器（２０）の通信のために用いることができ、前記第２の無線インタフェース（２２）は、
前記ユーザ機器（２０）の現在の全体無線環境に関する監視動作、又は
前記受信可能なＧＥＲＡＮ／ＵＴＲＡＮ近傍セルに関する前記測定動作、又は
ＣＳＦＢのための候補ターゲットセル（のうちの幾つか）が前記ユーザ機器（２０）に現在割り当てられているのと異なるロケーションエリアに属することを検出する前記観察、
のうちの少なくとも１つのために用いることができる、ユーザ機器。
【請求項１４】
コアネットワーク（１０）にアタッチされたユーザ機器（２０）によるＧＳＭ／ＵＭＴＳモバイル通信ネットワークの使用のための発展型パケットシステム（ＥＰＳ）モバイル通信ネットワークの該コアネットワーク（１０）であって、前記ＧＳＭ／ＵＭＴＳモバイル通信ネットワークの前記使用はフォールバック動作の結果であり、前記ユーザ機器（２０）へのロケーションエリアコード（ＬＡＣ）及び／又はサービス提供モバイル交換局（ＭＳＣ）の割当てに関する更新動作、及び／又は前記ユーザ機器（２０）の潜在的なＣＳＦＢターゲットセルを特定するための、現在のＧＥＲＡＮ／ＵＴＲＡＮ無線環境に関する測定動作が、前記フォールバック動作をトリガするサービスの起動の前に前記ユーザ機器によって自律的に実行されるように前記ユーザ機器（２０）が提供され、前記更新動作は、前記ロケーションエリアコード（ＬＡＣ）及び／又は前記サービス提供モバイル交換局（ＭＳＣ）の前記割当て又は再割当てに特化した専用動作、又は変更されたＴＡＵ動作である、コアネットワーク。
【請求項１５】
コアネットワーク（１０）にアタッチされたユーザ機器（２０）によるＧＳＭ／ＵＭＴＳモバイル通信ネットワークの使用のために、発展型パケットシステム（ＥＰＳ）モバイル通信ネットワークの前記コアネットワーク（１０）にアタッチされた前記ユーザ機器（２０）を制御するためのコンピュータ可読プログラムコードを含むプログラムであって、前記ＧＳＭ／ＵＭＴＳモバイル通信ネットワークの前記使用はフォールバック動作の結果であり、前記ユーザ機器（２０）へのロケーションエリアコード（ＬＡＣ）及び／又はサービス提供モバイル交換局（ＭＳＣ）の割当てに関する更新動作、及び／又は該ユーザ機器（２０）の潜在的なＣＳＦＢターゲットセルを特定するための、現在のＧＥＲＡＮ／ＵＴＲＡＮ無線環境に関する測定動作が、前記フォールバック動作をトリガするサービスの起動の前に前記ユーザ機器によって自律的に実行されるように前記ユーザ機器（２０）が提供され、前記更新動作は、前記ロケーションエリアコード（ＬＡＣ）及び／又は前記サービス提供モバイル交換局（ＭＳＣ）の前記割当て又は再割当てに特化した専用動作、又は変更されたＴＡＵ動作である、プログラム。
【発明の詳細な説明】
【技術分野】
【０００１】
本発明は、中でも発展型パケットシステム（ＥＰＳ）モバイル通信ネットワークのコアネットワークにアタッチされたユーザ機器によるＧＳＭ／ＵＭＴＳモバイル通信ネットワークの使用方法に関する。
【背景技術】
【０００２】
第３世代パートナーシッププロジェクト（３ＧＰＰ）は、発展型パケットシステム（ＥＰＳ）ネットワーク及びデバイスがモバイル通信のグローバルシステム（ＧＳＭ）及びユニバーサルモバイル電気通信システム（ＵＭＴＳ）ネットワークによって提供される従来の回線交換（ＣＳ）サービスを用いることを可能にする、発展型パケットシステム（ＥＰＳ）ネットワーク及びデバイスのための特別の機能を有する。
【０００３】
この特徴の動機は、発展型パケットシステム（ＥＰＳ）がパケット交換（ＰＳ）サービスのみを提供することに起因して、今日の音声サービス及びＳＭＳサービス等の回線交換（ＣＳ）サービスが発展型パケットシステム（ＥＰＳ）において利用可能でないことである。
【０００４】
このため、発展型パケットシステム（ＥＰＳ）端末が（発展型パケットシステム（ＥＰＳ）に登録されている間に）、ＧＳＭ／ＵＭＴＳ回線交換（ＣＳ）サービスを、発展型パケットシステム（ＥＰＳ）ネットワークにおいて同等のサービスが利用可能でない場合に用いることを可能にする機能が必要である。例えば、サービス提供しているＥＰＳネットワークにおいて本来の「ボイスオーバＬＴＥ」解決策がない場合（又は端末（又はユーザ機器）が音声構成等の他の理由で発展型パケットシステム（ＥＰＳ）を用いないことを選ぶ場合）、端末は発展型パケットシステム（ＥＰＳ）を介して回線交換（ＣＳ）サービスに登録を要求ことができ、それによって端末は発展型パケットシステム（ＥＰＳ）によってＧＳＭ／ＵＭＴＳモバイル通信ネットワークの回線交換（ＣＳ）ドメインにおいて（すなわちＧＳＭ／ＵＭＴＳ回線交換（ＣＳ）ドメインのモバイル交換局（ＭＳＣ）に）登録される。続いて、端末は、発展型パケットシステム（ＥＰＳ）において登録され続けながら、回線交換（ＣＳ）ドメインによって提供されるサービスを用いることができる。これを行うために、端末は、ＣＳサービスが呼び出されると、（発展型パケットシステム（ＥＰＳ）内のサービス提供セルから）ＣＳ対応ネットワークのＧＥＲＡＮ（ＧＰＲＳ／ＥＤＧＥ無線アクセスネットワーク）又はＵＴＲＡＮ（ＵＭＴＳ地上無線アクセスネットワーク）セルに合わせて調整する。この機能は回線交換フォールバック（ＣＳＦＢ）と呼ばれ、第３世代パートナーシッププロジェクト（３ＧＰＰ）ＴＳ２３．２７２において、例えば２０１０年９月のバージョン９．５．０において規定されている。
【０００５】
回線交換（ＣＳ）は、それによって専用回線を介してサービスが配信されるＧＳＭ／ＵＭＴＳモバイル通信ネットワークのドメインを指す。
【０００６】
パケット交換（ＰＳ）は、「パケット」の統計的多重化を用いてサービスが配信されるネットワークドメインを指し、これによってパケットはサービスデータのセグメントとなる。パケット交換（ＰＳ）は、モバイル通信のグローバルシステム（ＧＳＭ）、ユニバーサルモバイル電気通信システム（ＵＭＴＳ）及び発展型パケットシステム（ＥＰＳ）のモバイル通信ネットワークにおいて存在する。
【０００７】
モバイル通信のグローバルシステム（ＧＳＭ）は、第３世代パートナーシッププロジェクト（３ＧＰＰ）によって規定されるような２Ｇネットワークを指す。モバイル通信のグローバルシステム（ＧＳＭ）の無線アクセスはＧＥＲＡＮと呼ばれる。
【０００８】
ユニバーサルモバイル電気通信システム（ＵＭＴＳ）は、第３世代パートナーシッププロジェクト（３ＧＰＰ）によって規定されるような３Ｇネットワークを指す。ユニバーサルモバイル電気通信システム（ＵＭＴＳ）の無線アクセスはＵＴＲＡＮと呼ばれる。
【０００９】
発展型パケットシステム（ＥＰＳ）は、第３世代パートナーシッププロジェクト（３ＧＰＰ）によって規定されるような４Ｇネットワークを指す。発展型パケットシステム（ＥＰＳ）の無線アクセスはＥ−ＵＴＲＡＮと呼ばれる。
【００１０】
汎用パケット無線システム（ＧＰＲＳ）は、モバイル通信のグローバルシステム（ＧＳＭ）及びユニバーサルモバイル電気通信システム（ＵＭＴＳ）によるモバイル通信ネットワークのパケット交換（ＰＳ）部（又はドメイン）を指す。
【００１１】
ＥＴＳＩ  ＴＲ２１．９０５、Ｖ８．８．０によれば、ＭＭＥという用語はモバイル管理エンティティを表す。ＴＳ２３．４０１、Ｖ８．６．０によれば、この用語はモビリティ管理エンティティを表す。これ以降、モビリティ管理エンティティという用語を用いる。
【００１２】
特定のネットワークドメインによって提供されるサービスを用いるためには、端末（又はユーザ機器）はそのドメインに登録（「アタッチ」）されなくてはならない。端末は、ネットワークの単一のドメインのみ、すなわちＥＰＳのみ、又はＧＳＭ／ＵＭＴＳにおける間はＣＳドメインのみ若しくはＰＳドメインのみにアタッチすることができる。代替的に、端末は２つのドメインにアタッチすることができる。すなわちＥＰＳでは端末はＥＰＳ及びＧＳＭ／ＵＭＴＳネットワークのＣＳドメインに同時にアタッチすることができ、ＧＳＭ／ＵＭＴＳでは、ＧＳＭ／ＵＭＴＳネットワークのＣＳにドメイン及びＰＳドメインに同時にアタッチすることができる。
【００１３】
端末（又はユーザ機器）がアタッチされるネットワークドメインごとに、端末の移動に応じるモビリティ管理機能が必要である。これらの機能は、中でも、ドメインの各々における「ロケーションアイデンティティ」の割当て、及びロケーションアイデンティティによって表されるロケーションにサービス提供する、ドメイン内のサービス提供ノードの割当てを以下のように行うことを含む。
−−ＧＳＭ／ＵＭＴＳネットワークのＣＳドメインにおいて、ロケーションエリアアイデンティティ（ＬＡＩ）及びサービス提供モバイル交換局（ＭＳＣ）が割り当てられる。
−−ＧＳＭ／ＵＭＴＳネットワークのＰＳドメインにおいて、ルーティングエリアアイデンティティ（ＲＡＩ）及びサービス提供ＧＰＲＳサポートノード（ＳＧＳＮ）が割り当てられる。
−−ＥＰＳにおいて、１つ又は複数の追跡エリアアイデンティティのリスト（ＴＡＩリスト）及びサービス提供モビリティ管理エンティティ（ＭＭＥ）が割り当てられる。
【００１４】
端末（又はユーザ機器）は、自身のサービス提供セルによってブロードキャストされた情報から自身のＬＡＩ／ＲＡＩ／ＴＡＩを検出する。サービス提供セルによってＧＥＲＡＮセル又はＵＴＲＡＮセルはＬＡＩ及びＲＡＩをブロードキャストすることができ、Ｅ−ＵＴＲＡＮセルはＴＡＩをブロードキャストすることができる。ネットワーク計画は、所与のＬＡＩ／ＲＡＩ／ＴＡＩをブロードキャストするサービス提供セルが、このロケーションエリア／ルーティングエリア／追跡エリアをホスティングするように構成されたＭＳＣ／ＳＧＳＮ／ＭＭＥと接続されることを確実にしなくてはならない。端末（又はユーザ機器）が自身の現在の割当てと異なるＬＡＩ／ＲＡＩ／ＴＡＩをブロードキャストするサービス提供セル内に移動するときに、割り当てられたＬＡＩ／ＲＡＩ／ＴＡＩリストの更新を実行するための、この端末とネットワークとの間の適切なシグナリングの準備が整っている。
【００１５】
端末がアイドルであるとき、ロケーションエリア／ルーティングエリア／追跡エリアの変更は、以下となるようにネットワークに通知される。
−−端末が、現在その端末に割り当てられているものと異なるＬＡＩをブロードキャストする新たなＧＥＲＡＮ／ＵＴＲＡＮサービス提供セル内に移動するとき、ＭＳＣに向けたロケーションエリア更新（ＬＡＵ）が起動される。
−−端末が、現在その端末に割り当てられているものと異なるＲＡＩをブロードキャストする新たなＧＥＲＡＮ／ＵＴＲＡＮサービス提供セル内に移動するとき、ＳＧＳＮに向けたルーティングエリア更新（ＲＡＵ）が起動される。
−−端末が、現在その端末に割り当てられているＴＡＩのリスト内にないＴＡＩをブロードキャストする新たなＥ−ＵＴＲＡＮサービス提供セル内に移動するとき、ＭＭＥに向けた追跡エリア更新（ＴＡＵ）が起動される。
【００１６】
さらに、端末が（例えばその端末の現在の割当ての外に移動しないことに起因して）ＬＡＩ／ＲＡＩ／ＴＡＩの変更をネットワークにシグナリングする必要がないとき、その端末は、ネットワークによって提供される周期性タイマに基づいて適切な更新手順を起動することができる。
【００１７】
端末が上記で説明したように２つのドメインに登録されている場合（「代替的に、端末は２つのドメインにアタッチすることができる．．．」）、端末は「組み合わされた」手順を用いることができ、それによって適宜、端末がＧＳＭ／ＵＭＴＳにあるとき、「組み合わされたＲＡＵ／ＬＡＵ」要求をＳＧＳＮに送信することによってＲＡＩ若しくはＬＡＩ又は双方を更新することができるか、又は端末がＥＰＳにあるとき、「組み合わされたＴＡＵ／ＬＡＵ」要求をＭＭＥに向けて送信することによってＴＡＩリスト若しくはＬＡＩ又は双方を更新することができる。同時にＥＰＳ／ＩＭＳＩアタッチされた端末の場合、組み合わされた手順が常に用いられる一方、同時にＩＭＳＩ／ＧＰＲＳアタッチされた端末の場合、個別の手順を用いるか又は組み合わされた手順を用いるかはネットワーク構成に依拠する。
【００１８】
上記で説明した更新手順は、対応するドメイン（複数の場合もある）にアタッチされた端末によって用いられる。ドメインにアタッチされるために、同様の手順が利用可能である（「ＩＭＳＩアタッチ」、「ＧＰＲＳアタッチ」、「ＥＰＳアタッチ」）。（上記で説明した）２つのドメインへの同時のアタッチは、「組み合わされたＩＭＳＩ／ＧＰＲＳアタッチ」又は「組み合わされたＥＰＳ／ＩＭＳＩアタッチ」によって達成することができる。
【００１９】
ＬＡＩ／ＲＡＩ／ＴＡＩの変更（端末がアイドルのときに常にシグナリングされ、端末がアクティブのときにシグナリングされる場合がある）とは対照的に、ＧＥＲＡＮ／ＵＴＲＡＮ／Ｅ−ＵＴＲＡＮサービス提供セルの変更は、端末が「アクティブ」である（例えばＣＳドメイン内で音声呼又はＰＳドメイン内でデータ通信を行っている）ときにのみネットワークに通知される。
【００２０】
上記を踏まえて、回線交換フォールバックによってＧＳＭ／ＵＭＴＳモバイル通信ネットワークのＣＳドメインを用いることの必須条件として、ＥＰＳ内の端末は、ＥＰＳに登録されること（「ＥＰＳアタッチ」）に加えて、ＣＳドメインにおいて登録しなくてはならない（「ＩＭＳＩアタッチ」）。端末（又はユーザ機器）はＥＰＳ内にある（このためＥ−ＵＴＲＡＮセルによってサービス提供される）ので、端末（又はユーザ機器）によるＣＳドメインにおける登録の要求はモビリティ管理エンティティ（ＭＭＥ）に送信され、次にモビリティ管理エンティティ（ＭＭＥ）によって、このモビリティ管理エンティティ（ＭＭＥ）とモバイル交換局（ＭＳＣ）との間のＳＧインタフェースを介してモバイル交換局（ＭＳＣ）に向けて中継される。したがって、ＥＰＳ内の端末のためのＣＳドメインにおけるこの登録は、以下のように行うことができる。
−−端末（又はユーザ機器）がＥＰＳに登録するとき（すなわち「ＥＰＳアタッチ」を実行するとき）：この場合、端末（又はユーザ機器）は上記で説明したような「組み合わされたアタッチ」（「（上記で説明したような）２つのドメインへの同時のアタッチは．．．によって達成することができる」）を実行し、結果として端末又はユーザ機器がＥＰＳ及びＩＭＳＩ双方にアタッチされる。
−−ＥＰＳアタッチ後の後段階：この場合、端末は（ユーザ機器による）要求を含む「組み合わされた追跡エリア更新」を実行し、ＩＭＳＩにアタッチされる。
【００２１】
上記で説明したように、追跡エリア更新（ＴＡＵ）はＥＰＳにおける通常のロケーション更新手順であり、例えば回線交換（ＣＳ）ドメインにおけるロケーションエリア更新（ＬＡＵ）、又はＧＳＭ／ＵＭＴＳモバイル通信ネットワークのパケット交換（ＰＳ）ドメインにおけるルーティングエリア更新（ＲＡＵ）に相当する。回線交換フォールバック（ＣＳＦＢ）との関連で、ＴＡＵの「組み合わされた」変形とは、その変形が端末のＥＰＳアタッチ及びＩＭＳＩアタッチの双方に適用されることを示すのに用いられる。さらに、前の段落において説明したように、組み合わされたＴＡＵとは専ら既にＥＰＳにアタッチされている端末（又はユーザ機器）がＩＭＳＩアタッチを要求するのに用いることができる。
【００２２】
端末（又はユーザ機器）がＩＭＳＩアタッチされている間、サービス提供モバイル交換局（ＭＳＣ）及びそのモバイル交換局（ＭＳＣ）「内の」ロケーションエリア（ＬＡ）を端末（又はユーザ機器）に割り当てなくてはならない。この要件は、
−−端末がＧＳＭ／ＵＭＴＳ内にあり、ＣＳドメインにのみアタッチされるか、又は
−−端末がＧＳＭ／ＵＭＴＳ内にあり、ＣＳドメイン及びＰＳドメインドメインの双方にアタッチされるか、又は
−−端末がＥＰＳ内にあり、ＥＰＳ及びＧＳＭ／ＵＭＴＳネットワークのＣＳドメインの双方に「組み合わされてアタッチされる」か、
にかかわらず適用される。
【００２３】
しかしながら、以下で更に説明するように、ＥＰＳ内のＩＭＳＩアタッチされた端末（すなわちＣＳＦＢの利用を望む端末）及びＧＳＭ／ＵＭＴＳ内のＩＭＳＩアタッチされた端末についてこの割当をどのように実行し維持するかは非常に難しい。
【００２４】
端末（又はユーザ機器）は、ＧＳＭ／ＵＭＴＳモバイル通信ネットワーク内にあるとき、ＣＳドメイン及びＰＳドメインの双方にアクセスするために、ＧＥＲＡＮ又はＵＴＲＡＮサービス提供セルを介して通信する。その端末のロケーションエリア及びルーティングエリアは、サービス提供セルにおいてブロードキャストされるＬＡＩ／ＲＡＩと一致し（換言すれば、ユーザ機器のロケーションエリア（ＬＡ）及びルーティングエリア（ＲＡ）は、サービス提供ＧＥＲＡＮ／ＵＴＲＡＮセルがそのメンバであるロケーションエリア（ＬＡ）及びルーティングエリア（ＲＡ）である）、ネットワークトポロジに基づいてモバイル交換局（ＭＳＣ）／ＳＧＳＮが決定される（すなわち、それぞれＣＳドメイン及びＰＳドメインについて端末のサービス提供セルをホスティングするモバイル交換局（ＭＳＣ）／ＳＧＳＮが用いられる）。
【００２５】
端末（又はユーザ機器）が発展型パケットシステム（ＥＰＳ）内にあるとき、その端末は、ＰＳドメインにアクセスするためにＥ−ＵＴＲＡＮサービス提供セルを介して通信し、ＣＳＦＢが起動されるとＧＥＲＡＮ／ＵＴＲＡＮセルに切り替える必要がある。これは、ＥＰＳ内にそのような端末のサービス提供ＧＥＲＡＮ／ＵＴＲＡＮセルが存在せず、このためＧＥＲＡＮ／ＵＴＲＡＮセルからＬＡＩを導出することができないことを意味する。したがって、端末がＭＭＥに、ＩＭＳＩアタッチを望むことをシグナリングするとき、回線交換（ＣＳ）ネットワーク内のロケーションエリアの割当て及び適切なモバイル交換局（ＭＳＣ）の選択（すなわち、このロケーションエリアをホスティングするモバイル交換局（ＭＳＣ））が、ローカル構成に基づいて、例えば発展型パケットシステム（ＥＰＳ）における端末の現在の追跡エリア、及びそのエリアの現在のサービス提供Ｅ−ＵＴＲＡＮセルを考慮に入れて、モビリティ管理エンティティ（ＭＭＥ）によって実行される。端末の移動に応じるために、新たなロケーションエリア（ＬＡ）及び妥当な場合（すなわち新たなロケーションエリア（ＬＡ）が別のモバイル交換局（ＭＳＣ）に属する場合）新たなモバイル交換局（ＭＳＣ）をモビリティ管理エンティティ（ＭＭＥ）によって選択し、これを、端末がＭＭＥに向けて組み合わされた追跡エリア／ロケーションエリア更新をシグナリングするときに端末に割り当てることができる。
【００２６】
組み合わされたＴＡＵ／ＬＡＵを送信するためのトリガは３ＧＰＰ  ＴＳ２４．３０１に規定されており、このトリガは、潜在的なＣＳＦＢターゲットセルとしてサービス提供する可能性がある任意の重なり合うＧＳＭ／ＵＭＴＳセルのＬＡＩと無関係である。端末がＥＰＳ内で移動している（すなわちＥ−ＵＴＲＡＮサービス提供セルを用いる）間、（組み合わされた）ＴＡＵ（／ＬＡＵ）は通常、そのＴＡＩが端末の現在のＴＡＩリストにない新たなＥ−ＵＴＲＡＮサービス提供セル内にＵＥが移動するとき、又は（任意のそのようなモビリティに起因するＴＡＵがない場合には）ネットワークによって提供される周期ＴＡＵタイマが満了したときにシグナリングされる。結果として、端末へのＬＡＩ及びサービス提供ＭＳＣの割り当ては、ＧＥＲＡＮ／ＵＴＲＡＮ内の潜在的なＣＳＦＢターゲットセルのＬＡＩ及びホストＭＳＣ（の変更）を考慮に入れず、専らＥＰＳネットワークロケーション情報及び関連付けられた更新トリガに基づく。
【００２７】
３ＧＰＰ回線交換フォールバック（ＣＳＦＢ）との関連で、端末（又はユーザ機器）は、ＳＭＳのみについて回線交換（ＣＳ）ドメインにアタッチすることができるか、又はＧＳＭ／ＵＭＴＳネットワークの回線交換（ＣＳ）ドメインによって提供される全てのサービスについて回線交換（ＣＳ）ドメインにアタッチすることができる：
−−ＳＭＳのみについての回線交換（ＣＳ）ドメイン登録（「ＳＧを介したＳＭＳ」）：
この場合、端末はＥ−ＵＴＲＡＮ無線アクセスにとどまっている間、ＳＭＳメッセージを送受信することができ、それによってメッセージがモバイル交換局（ＭＳＣ）を介して転送される。すなわち、モバイル発信メッセージは端末（又はユーザ機器）によってＥ−ＵＴＲＡＮを介してモビリティ管理エンティティ（ＭＭＥ）に送信され、モビリティ管理エンティティ（ＭＭＥ）はそれらのメッセージを、ＳＧを介してモバイル交換局（ＭＳＣ）に渡し、次にモバイル交換局（ＭＳＣ）はそれらのメッセージを、従来のＧＳＭ／ＵＭＴＳ  ＣＳに基づくＳＭＳサービスにおけるように更にショートメッセージサービスセンタ（ＳＭＳＣ）に向けて渡す。逆の順序（すなわちショートメッセージサービスセンタ（ＳＭＳＣ）→モバイル交換局（ＭＳＣ）→モビリティ管理エンティティ（ＭＭＥ）→Ｅ−ＵＴＲＡＮ→端末／ユーザ機器）は、モバイル着信ＳＭＳの場合に生じる。この動作モードでは、端末（又はユーザ機器）は常にＥ−ＵＴＲＡＮ内に留まり、すなわちＧＥＲＡＮ／ＵＴＲＡＮセルへのフォールバックを行わない。結果として、モバイル交換局（ＭＳＣ）及びロケーションエリア（ＬＡ）の選択はサービスの実行に関連しない（端末（又はユーザ機器）がＥ−ＵＴＲＡＮカバレッジとＧＥＲＡＮ／ＵＴＲＡＮカバレッジとの間を動くときのみ関連する）。この動作モードは本発明の状況では関連しない。
−−全ての回線交換（ＣＳ）サービスについての回線交換（ＣＳ）ドメイン登録：
この場合、端末は上記で説明したようにＳＭＳを用いるが、全ての他の回線交換（ＣＳ）サービスについて、端末又はユーザ機器はＣＳドメインの無線アクセス、すなわちＧＥＲＡＮセル又はＵＴＲＡＮセルへの「フォールバック」を実行する。フォールバックが必要な場合、すなわちＳＭＳ以外の回線交換（ＣＳ）サービスが起動される場合、発展型パケットシステム（ＥＰＳ）ネットワークによってフォールバックに適したＧＥＲＡＮ又はＵＴＲＡＮターゲットセルが選択され、端末は次に回線交換（ＣＳ）サービスの実行についてその（ターゲット）セルに対して調整するように命令される。この動作モードでは、サービスの実行にとって、フォールバックのターゲットセルが現在ユーザ機器に割り当てられているロケーションエリア（ＬＡ）内にあり、かつこの実際のロケーションエリア（ＬＡ）（すなわちターゲットセルのロケーションエリア）、したがってターゲットセルが、ユーザ機器に現在割り当てられているモバイル交換局（ＭＳＣ）によってサービス提供されることが非常に有益である。
【００２８】
第３世代パートナーシッププロジェクト（３ＧＰＰ）に従って規定されるような回線交換フォールバック（ＣＳＦＢ）動作は幾つかの欠点を有する。
【００２９】
ＬＡＣ及びＭＳＣを端末に割り当てるときのロケーションエリア／サービス提供モバイル交換局（ＭＳＣ）の認識の欠如：
説明したように、モビリティ管理エンティティ（ＭＭＥ）はロケーションエリア（ＬＡ）及びモバイル交換局（ＭＳＣ）を回線交換フォールバック（ＣＳＦＢ）端末（又はユーザ機器）に割り当てる。ロケーションエリアコード（ＬＡＣ）及びモバイル交換局（ＭＳＣ）の選択は、端末がＭＭＥを介して回線交換（ＣＳ）ドメインに登録されたとき、又は端末が（組み合わされた）追跡エリア更新（ＴＡＵ）（ＴＡＵのためのトリガは３ＧＰＰ標準規格において規定されている）を実行するときにのみ行うことができる。しかしながら、選択が行われるとき、重なり合うＧＳＭ／ＵＭＴＳモバイル通信ネットワークのトポロジの情報（特に、潜在的なＣＳＦＢターゲットセルとなる近傍ＧＥＲＡＮ／ＵＴＲＡＮセルのＬＡＩ及びホストＭＳＣ）は利用可能でない。むしろ、ＧＳＭ／ＵＭＴＳ回線交換（ＣＳ）ドメインにおけるロケーションエリアコード（ＬＡＣ）及びモバイル交換局（ＭＳＣ）の選択は、端末のＥＰＳ／Ｅ−ＵＴＲＡＮ関連ロケーション情報、すなわち追跡エリアアイデンティティ及びＥ−ＵＴＲＡＮサービス提供セルアイデンティティに基づかなくてはならない。
【００３０】
端末（又はユーザ機器）によってシグナリングされる追跡エリア（ＴＡ）のアイデンティティ、及び端末が組み合わされたアタッチ又は組み合わされたＴＡＵを送信するときにその端末が通信するＥ−ＵＴＲＡＮセルの双方をモビリティ管理エンティティ（ＭＭＥ）によって考慮に入れ、最も適したＬＡＣを特定し、対応するＭＳＣを選択することができる。この文脈において、「最も適した」とは、ユーザ機器が回線交換（ＣＳ）ネットワークにおいてＧＥＲＡＮ又はＵＴＲＡＮセルにフォールバックするとき、フォールバックのターゲットセルが、現在割り当てられているロケーションエリアのメンバであり、このため現在割り当てられているモバイル交換局（ＭＳＣ）によってホスティングされている最大尤度が存在することを意味する。一方、この尤度は、ＥＰＳ追跡エリアとＧＳＭ／ＵＭＴＳロケーションエリアとの間の重なり合いの度合いに依拠し、そしてこの度合いは、ネットワークオペレータがこの重なり合いを達成する意欲及び能力に依拠する。例えば、
−−ネットワーク計画によりこの重なり合いのためにネットワークを最適化することによって、オペレータがＥＰＳネットワークとＧＳＭ及びＵＴＲＡＮネットワークとの双方の非常に望ましい独立した最適化を行えなくなる。また、ＧＳＭ／ＵＭＴＳでは端末に１つのみのロケーションエリア（ＬＡ）を割り当てるが、ＥＰＳでは１つ又は複数の追跡エリアを割り当てる場合があることに起因した問題も生じる。
−−達成することができる重なり合いのレベルは、無線信号の伝播特性がＧＳＭ９００とＥＰＳ２６００とで非常に異なるので、ＧＳＭ、ＵＭＴＳ及びＥＰＳにおいて用いられている異なる無線周波数にも依拠する。
−−２つのネットワーク層（ＥＰＳ及び／又はＧＳＭ／ＵＭＴＳ回線交換（ＣＳ）ネットワーク）のうちの少なくとも一方の構成／トポロジが変化する場合、それらの間の重なり合いのレベルも同様に変化する。これは、オペレータに対する一定の動作負荷を表す。例えば、新たな発展型パケットシステム（ＥＰＳ）ネットワークが依然としてロールアウト／拡張プロセスにある場合、ロケーションエリア（ＬＡ）と追跡エリア（ＴＡ）との間の重なり合いを管理するのは非常に困難であり、厄介である。
【００３１】
まとめると、重なり合いのレベルは維持が困難であり、常に様々な要因間での妥協となる。
【００３２】
ユーザ機器がフォールバックを実行するときにロケーションエリア（ＬＡ）のミスマッチが存在する場合、回線交換（ＣＳ）サービス、例えば音声呼を設定する前にＬＡＵ手順を実行しなくてはならず、呼設定時間に大幅な遅延が加わる。最悪の場合、フォールバックのターゲットセルをホスティングするモバイル交換局（ＭＳＣ）でさえ端末に現在割り当てられているＭＳＣでなく、モバイル発信呼及びモバイル着信呼の双方について、呼の設定において付加的な遅延が生じる。後者の場合、呼試行は更には失敗し、その失敗から回復するには、「正しい」モバイル交換局（ＭＳＣ）への第２の呼試行を実行することによるネットワークにおける追加機能（「ローミング再試行」）が必要であり、呼設定時間にまた更なる遅延が加わる。
【００３３】
この問題（呼設定遅延）は原則として、発呼側及び着呼側の双方がＣＳＦＢを用いるときに倍増する。
【００３４】
端末のＬＡＩ及びＭＳＣ割当てを更新することに関する不十分な精度：
上記で説明したように、ＣＳＦＢ端末のためのＬＡＩ及びＭＳＣの再割当ては、ＴＡＵが発生するときのみ実行することができる。一方、ＴＡＵはＥ−ＵＴＲＡＮセル及びそのＴＡＩに関するロケーション情報のみを伝達することができるが、ＧＥＲＡＮ／ＵＴＲＡＮにおける潜在的なＣＳＦＢターゲットセルのＬＡＩ及びホストＭＳＣに関する情報は伝達することができない。加えて、モビリティによりトリガされるＴＡＵは、端末がそのＴＡＩリストにないセルに入ったときにのみ行われるのに対し、ＧＳＭ／ＵＭＴＳでは、端末が現在割当てられているのと異なる単一のＬＡＩを有するセルに入ったとき、ＬＡＩの更新が行われなくてはならない。したがって、端末がそのＴＡＩリストに整合する一組のＥ−ＵＴＲＡＮセル内にとどまっている間に周囲のＧＥＲＡＮ／ＵＴＲＡＮセルのＬＡＩが変化する可能性が非常に高い。これが生じた場合、ＣＳＦＢ実行時にＬＡＩのミスマッチ及び場合によってはホストＭＳＣのミスマッチが生じる。
【００３５】
フォールバックを実行するときの現在のＧＥＲＡＮ／ＵＴＲＡＮ無線環境に関する知識の欠如：
フォールバックが必要なとき、端末はＣＳサービスを実行するために、ＣＳドメイン内のＧＥＲＡＮ又はＵＴＲＡＮセルに送られる。上記で説明したように、ＥＰＳネットワークによって適切なターゲットセルが選択される。ここで、この文脈において、「適切な」とは、ターゲットセルがＵＥへのサービス配信のための十分なカバレッジを提供することを意味する。これが当てはまらない場合、フォールバックのすぐ後に（別のＧＥＲＡＮ／ＵＴＲＡＮセルへの）ハンドオーバーが必要となる場合があるか、又は最悪の場合、フォールバックが実行されたときに選択されたターゲットセルがＵＥのための適正なカバレッジを提供しない場合には呼設定が失敗する。
【００３６】
これが生じるのを回避するために、３ＧＰＰ標準規格は、フォールバックがトリガされたときに、フォールバックのための可能性のあるターゲットＧＥＲＡＮ／ＵＴＲＡＮセルを特定するために、ネットワークによって端末にＧＥＲＡＮ／ＵＴＲＡＮ近傍セル測定を実行するように命令することができることを予見している。これらの測定が完了すると、ネットワークは測定結果の評価に基づいて好ましいターゲットセルを選び出す。これによって、選ばれたターゲットセルがフォールバック後にＵＥに良好なカバレッジを提供することが保証されるが、これらの測定によって回線交換フォールバック（ＣＳＦＢ）における呼設定時間全体が増大することも明らかである。
【００３７】
上記の測定によって生じる追加の遅延を回避するために、いわゆる「ブラインドハンドオーバ」を実行することも可能である。この場合、ＧＥＲＡＮ又はＵＴＲＡＮにおけるＣＳＦＢターゲットセルは、端末の現在のＥ−ＵＴＲＡＮセル、すなわちＣＳＦＢがそこからトリガされたＥ−ＵＴＲＡＮセルに基づいて選ばれる。これは、ＥＰＳネットワーク内の全てのサービス提供Ｅ−ＵＴＲＡＮセルについて、ＧＥＲＡＮ又はＵＴＲＡＮにおける少なくとも１つの適切なターゲットセルが知られているという仮定に依拠する。しかしながら、Ｅ−ＵＴＲＡＮセルの周辺部内のＵＥの正確なロケーションは知られていないので、またＧＥＲＡＮセルの伝播特性（例えば９００ＭＨｚ）と比較して異なるＥ−ＵＴＲＡＮセルの伝播特性（例えば２６００ＭＨｚ）に起因して、これは非常に信頼性が低い。結論として、ブラインドハンドオーバは、類似した周波数帯域内の同じロケーションのセル（例えば、９００ＭＨＺ帯域におけるＧＥＲＡＮセルと同じロケーションのデジタル分割帯域におけるＥ−ＵＴＲＡＮセル、これによって同じロケーションのＧＥＲＡＮセルは上記Ｅ−ＵＴＲＡＮセルにおいてトリガされる全てのフォールバックのＣＳＦＢターゲットセルとして選択される）にのみ（許容可能なフォールバック失敗率の観点から）適することができる。
【００３８】
フォールバックが生じるときのターゲットセルによるロケーションエリア／サービス提供モバイル交換局（ＭＳＣ）の認識の欠如：
上記で説明したように、フォールバックのターゲットセルは、構成により取得される適切なセルのリストからネットワークによって選ばれるか、又はネットワークによって命令されて端末によって実行された測定によって選ばれる。しかしながら、ターゲットセルの選択は、ターゲットセルが現在端末に割り当てられているのと同じロケーションエリア内にあるか否かを考慮に入れず、これによって同じＬＡ内にあるセル、又は少なくとも現在割当てられているＭＳＣによってホスティングされている別のＬＡ内にあるセルがターゲットセル選択に利用可能である場合であっても、ＬＡＩミスマッチ（及び場合によってはＭＳＣミスマッチ）の可能性が増大する。
【発明の概要】
【発明が解決しようとする課題】
【００３９】
本発明の目的は、発展型パケットシステムモバイル通信ネットワークのコアネットワークにアタッチされたユーザ機器によるＧＳＭ／ＵＭＴＳモバイル通信ネットワークの使用のための方法を提供することであり、ＧＳＭ／ＵＭＴＳモバイル通信ネットワークの使用はフォールバック動作の結果であり、フォールバック動作は、サービスレベルの増加（特に遅延時間の低減）を達成することができるように向上する。
【課題を解決するための手段】
【００４０】
本発明の目的は、発展型パケットシステム（ＥＰＳ）モバイル通信ネットワークのコアネットワークにアタッチされたユーザ機器によるＧＳＭ／ＵＭＴＳモバイル通信ネットワークの使用方法であって、ＧＳＭ／ＵＭＴＳモバイル通信ネットワークの使用はフォールバック動作の結果であり、フォールバック動作をトリガするサービスの起動前に、
−−ユーザ機器へのロケーションエリアコード（ＬＡＣ）及び／又はサービス提供モバイル交換局（ＭＳＣ）の割当てに関する更新動作が行われるステップであって、更新動作は、ロケーションエリアコード（ＬＡＣ）及び／又はサービス提供モバイル交換局（ＭＳＣ）の割当て又は再割当てに特化した専用動作、又は変更されたＴＡＵ動作である、ステップ、及び／又は
−−ユーザ機器の潜在的なＣＳＦＢターゲットセルを特定するための、現在のＧＥＲＡＮ／ＵＴＲＡＮ無線環境に関する測定動作がユーザ機器によって自律的に実行されるステップ、
のうちの少なくとも１つが行われる、方法によって達成される。
【００４１】
本発明は包括的にはＣＳＦＢ（ＣＳフォールバック）に関し、所与の公衆陸上モバイルネットワーク（ＰＬＭＮ）が展開される際に従う特定の実施態様又は特定の標準規格とは無関係である。本発明に関するとき、「ＥＰＳ」という用語は、そこからＣＳＦＢを行うことができるＰＳネットワーク（又はネットワークのＰＳドメイン）の例として主に用いられるのに対し、「ＧＳＭ」、「ＵＭＴＳ」又は「ＧＳＭ／ＵＭＴＳ」という用語は、そこへのＣＳＦＢを行うことができるＣＳネットワーク（又はＣＳドメインを有するネットワーク）の例として用いられる。一方、本発明は、そこからＣＳＦＢ動作を実行することができる他のＰＳネットワーク又はＰＳのみのネットワーク、並びにそこへのＣＳＦＢ動作を実行することができる、例えばＣＤＭＡ２０００等の他のＣＳネットワーク又はネットワークのＣＳドメインにも関する。
【００４２】
本発明の好ましい実施の形態によれば、ユーザ機器の現在のＧＥＲＡＮ／ＵＴＲＡＮ無線環境／潜在的なＣＳＦＢターゲットセルに関する更新動作及び／又は測定動作は、ユーザ機器が発展型パケットシステム（ＥＰＳ）及びＧＳＭ／ＵＭＴＳモバイル通信ネットワークにアタッチされ、ユーザ機器がＥ−ＵＴＲＡＮセルによってサービス提供される場合に実行される。
【００４３】
したがって、本発明によれば、ユーザ機器のフォールバックの候補ターゲットセルが変更されて、それらのターゲットセルがユーザ機器に現在割り当てられているのと異なるロケーションエリアに属し、及び潜在的には新たなロケーションエリアがユーザ機器に現在割り当てられているのと異なるモバイル交換局（ＭＳＣ）によってサービス提供されるようになったときに、割り当てられたロケーションエリア（ＬＡ）、及び潜在的にはモバイル交換局（ＭＳＣ）の更新を実行することができることを確実にする方法を提供することが有利には可能である。
【００４４】
（例えば第３世代パートナーシッププロジェクト（３ＧＰＰ）ＴＳ２３．２７２、例えば２０１０年９月のバージョン９．５．０に従う）標準的な回線交換フォールバック（ＣＳＦＢ）では、ロケーションエリア（ＬＡ）の割当て及びモバイル交換局（ＭＳＣ）の選択は、ユーザ機器が、
−−（上記で説明したように組み合わされたアタッチ又は組み合わされたＴＡＵを用いて）回線交換（ＣＳ）サービスのために登録するとき、又は
−−３ＧＰＰ標準規格（ＴＳ２３．２７２（例えば２０１０年９月のバージョン９．５．０）、ＴＳ２３．４０１（例えば２０１０年９月のバージョン９．６．０））に規定されているトリガに従う、例えば周期的ＴＡＵを含む組み合わされたＴＡＵを実行するとき、
にのみ行うことができる。
【００４５】
次に、モビリティ管理エンティティ（ＭＭＥ）がアタッチ／ＴＡＵメッセージを用いて端末の現在の追跡エリア（ＴＡ）及びＥ−ＵＴＲＡＮサービス提供セルに基づいてロケーションエリア（ＬＡ）を（再）割当てし、選ばれたロケーションエリア（ＬＡ）にサービス提供するモバイル交換局（ＭＳＣ）を選択することができる。３ＧＰＰ  ＴＳ２４．３０１による最新技術によれば、ＴＡＵを実行するためのトリガは現在のＥ−ＵＴＲＡＮ無線環境のみを考慮に入れることができ、ＧＥＲＡＮ／ＵＴＲＡＮ無線環境（の変更）と無関係であり、このため、潜在的なＣＳＦＢターゲットセル及びそれらのＬＡＣ／ＭＳＣの変更と無関係である。
【００４６】
本発明によれば、ユーザ機器へのロケーションエリアコード（ＬＡＣ）及び／又はサービス提供モバイル交換局（ＭＳＣ）の割当てに関する更新動作を用いて、中でも以下の手段によってＣＳＦＢのより高いサービスレベルを達成することが有利には可能である。
−−端末又はユーザ機器が組み合わされてアタッチされているとき、更新動作が標準ＴＡＵ動作と比較して（例えばＴＳ２３．２７２のバージョン９．５．０及びＴＳ２３．４０１のバージョン９．６．０に従って）より頻繁に実行され、それによって、ネットワークがユーザ機器の現在サービス提供しているＥ−ＵＴＲＡＮセルに対して、より頻繁に更新されることが可能であり好ましい。これには、更新動作が定期的に実行されるが、タイマ３４１２を用いたＴＡＵ動作と比較して低減された繰り返し期間を有する場合を含む。
−−更新動作が、サービス提供Ｅ−ＵＴＡＲＡＮセルが変更される度に実行されることが可能であり好ましい。
−−最後の更新動作から、又は端末がアクティブモード（その端末のサービス提供セルはネットワークにおいて知られている）からアイドルモード（その端末のロケーションはその端末に割り当てられたＴＡのリストによってのみ知られている）に最後に変更してから最大時間が経過した後に更新動作が実行されることが可能であり好ましい。
−−ユーザ機器がＥ−ＵＴＲＡＮにおいてアクティブ状態にあるときにモビリティ管理エンティティ（ＭＭＥ）に常に利用可能なサービス提供Ｅ−ＵＴＲＡＮセルの知識は、モビリティ管理エンティティ（ＭＭＥ）がロケーションエリア（ＬＡ）及び必要な場合にはモバイル交換局（ＭＳＣ）の割当てを更新するために、例えばユーザ機器に更新動作を実行するように命令することによって用いることもできるので、更新動作がコアネットワークからの要求時に実行されることが可能であり好ましい。
−−端末が、前回の更新動作におけるロケーションから少なくとも或る特定の距離にわたって自身が動いているか又は動いたことを検出したときに更新動作が実行されることが可能であり好ましい。これは、例えば、
−−ＧＰＳセンサによって、及び／又は
−−加速度センサによって、及び／又は
−−異なるサービス提供／近傍セル、サービス提供及び／又は受信可能な近傍セルの異なる信号強度、又はサービス提供及び／又は受信可能な近傍セルに対する異なる位置等の条件の変更について全体無線環境を監視することによって（「タイミングアドバンス」）、
検出することができる。
（発展型パケットシステム（ＥＰＳ）において用いられているのと同じ無線を用いた全体無線環境を観測することは制限される可能性があり、したがって、この観測は、特に端末の第１の無線部の現在の無線使用の外側で端末の無線環境をスキャンする端末において第２の無線部（又は無線インタフェース）によって実行することができる（例えば、第１の無線部（又は第１の無線インタフェース）はＥ−ＵＴＲＡＮにおいてアクティブであり、第２の無線部（又は第２の無線インタフェース）は第１の無線部によって現在監視されていないＧＥＲＡＮ／ＵＴＲＡＮ又はＥ−ＵＴＲＡＮセル／周波数を観測する）。フォールバック動作を向上させるための第２の無線インタフェースの使用は、引用することによりその全体が本明細書の一部をなすものとする、２０１０年１２月２９日に出願された欧州特許出願第１００１６１６４．５号に記載されている）。
−−端末が、ＣＳＦＢの候補ターゲットセル（のうちの幾つか）（すなわち受信可能なＧＥＲＡＮ／ＵＴＲＡＮ近傍セル）が現在その端末に割り当てられているのと異なるＬＡに属することを検出したときに更新動作が実行されることが可能であり好ましい。これを知るために、端末は、上記セルによってブロードキャストされたＬＡＣを得る必要がある。単一無線端末（すなわち標準的なＣＳＦＢ）において、特に端末がＥ−ＵＴＲＡＮにおいてアクティブであるときに、端末がＧＥＲＡＮ／ＵＴＲＡＮ近傍セルのＬＡを得る機会が制限される。対照的に、２０１０年１２月２９日に出願された米国特許出願第１００１６１６４．５号によるデュアル無線ＣＳＦＢを用いる端末は、任意の時点に、所望の場合は更には定期的にＧＥＲＡＮ／ＵＴＲＡＮ近傍セルを観察することができる。代替的に、端末は、第２の無線（モジュール）がデュアル無線回線交換フォールバック（ＣＳＦＢ）のための（完全な）第２の無線インタフェースとして設計も使用もされていない場合であっても、ＧＥＲＡＮ／ＵＴＲＡＮ近傍セルの観察のために第２の無線（モジュール）を用いることができる。実際に、この目的のために端末において第２の受信機のみが必要となる。ＧＥＲＡＮ／ＵＴＲＡＮ近傍セルの観察は、例えば上記で更新動作のトリガについて説明されたように、端末がロケーション変更を認識することによって制御する（すなわちアクティベート／ディアクティベートする）ことができる。
−−３ＧＰＰ標準規格（ＴＳ２３．２７２のバージョン９．５．０及びＴＳ２３．４０１のバージョン９．６．０等）において現在規定されているようなＴＡＵ手順と比較して、更新動作中に追加情報を交換することが可能であり好ましい。３ＧＰＰ標準規格（ＴＳ２３．２７２のバージョン９．５．０及びＴＳ２３．４０１のバージョン９．６．０等）において現在規定されているようなＴＡＵ手順と比べて、追加情報を一切有しない本発明による更新動作を用いることによって、ユーザ機器のサービス提供Ｅ−ＵＴＲＡＮセルが、このユーザ機器のネットワークにおいて最後に知られていたものと比較して変更されていた場合にのみ利得が得られる。最後に知られていたロケーション情報（すなわちサービス提供セル及びその追跡エリア（ＴＡ））と比較してモビリティ管理エンティティ（ＭＭＥ）にシグナリングされるロケーション情報の変更がないときに更新動作（標準ＴＡＵ動作等）が実行される場合、モビリティ管理エンティティ（ＭＭＥ）がより良好なＬＡ／ＭＳＣ割当てを実行することは不可能である。以下の情報が更新動作中に用いられることが提案される。
−−上記で説明したような現在の受信可能なＧＥＲＡＮ／ＵＴＲＡＮ近傍セル及び／又はそれらのロケーションエリアに関する情報、
−−現在の受信可能なＥ−ＵＴＲＡＮ近傍セル及び／又はそれらの追跡エリアに関する情報、
−−最後の更新動作から端末が実行した、
−−全体無線環境における変更（そのような変更は上記で説明したように、単一無線によって観察された場合があるか、又はデュアル無線端末の場合、第２の無線によって観察された場合がある）
−−加速度センサから収集した情報、
−−最後の更新からの絶対位置又は位置変更等のＧＰＳから収集した情報、
等の移動に関する情報。
【００４７】
これらの言及したメカニズムのそれぞれを、端末によって自律的に、又はネットワークによって命令された場合及び命令されたときに実行することができる。更新動作の周期性、ロケーション変更の最小量等のパラメータは、端末によって自律的に求める（例えばＧＵＩ（グラフィカルユーザインタフェース）によって予め構成又は構成される）こともできるし、シグナリングを介して又はＯＴＡメカニズム（無線（Over The Air）メカニズム）を介してネットワークによって設定することもできる。
【００４８】
さらに、ユーザ機器がＥ−ＵＴＲＡＮにおいてアクティブ状態にあるときにモビリティ管理エンティティ（ＭＭＥ）に常に利用可能なサービス提供Ｅ−ＵＴＲＡＮセルの知識は、モビリティ管理エンティティ（ＭＭＥ）がロケーションエリア（ＬＡ）及び必要な場合にモバイル交換局（ＭＳＣ）の割当てを更新するために用いることもできる。これは、ネットワークがユーザ機器にＴＡＵ動作を実行することを命令し、その後３ＧＰＰ標準規格によるＬＡ再割当てメカニズムを用いるために通常の組み合わされた更新手順を行うことによって行うことができる。これはＴＡＵ動作との関連においてのみ機能する。代替的に、例えば上記で説明したような更新手順の使用を含む、ＬＡ／ＭＳＣ更新の実行のために、異なるメカニズム（変更されたＴＡＵ動作又は専用動作、すなわちユーザ機器とネットワークとの間のメッセージの交換）を加えることが可能である。
【００４９】
本発明によれば、ＣＳＦＢの候補ターゲットセル（のうちの幾つか）（すなわち受信可能なＧＥＲＡＮ／ＵＴＲＡＮ近傍セル）が現在ユーザ機器に割り当てられているのと異なるＬＡに属するか否かを検出する目的でのユーザ機器のＧＥＲＡＮ／ＵＴＲＡＮ近傍セルの観察が、そのようなロケーション変更を認識しているユーザ機器の移動又はロケーション変更に関する情報に基づいて端末によって制御される（例えば観察がアクティベート／ディアクティベートされる）ことが可能であり好ましい。この挙動は、１つのみの無線インタフェースを有するユーザ機器又は２つの無線インタフェースを有するユーザ機器の双方について実現することが可能である。同様に、更新動作について規定されたトリガのうちの任意のものに基づいてユーザ機器のＧＥＲＡＮ／ＵＴＲＡＮ近傍セルの上記観察をアクティベートすることが可能であり好ましい。上記で説明したようにＬＡＣを決定することによって、ＬＡＣ（複数の場合もある）の変更が行われたこと、及び更新動作が実行されることが示された場合に、１つの更新動作のみが実行されることが可能であり好ましい。
【００５０】
本発明の好ましい実施の形態によれば、上記で説明したような（ＴＡＵ動作中に交換される情報と比較した）追加の情報が必要でなく及び／又は利用可能でないときに、３ＧＰＰ標準規格において規定されるようなＴＡＵ手順が更新動作として用いられる（すなわち、（ＴＳ２３．２７２のバージョン９．５．０及びＴＳ２３．４０１のバージョン９．６．０等の現在の標準規格による）標準ＴＡＵ動作が変更されないままであるがより頻繁に用いられる、すなわち追加のＴＡＵ動作が用いられる）ことが有利には可能である。
【００５１】
本発明の別の好ましい実施の形態によれば、追加のトリガ及び／又は追加の情報が適用されるように、（ＴＳ２３．２７２のバージョン９．５．０及びＴＳ２３．４０１のバージョン９．６．０等の現在の標準規格による）標準のＴＡＵ動作が変更される（すなわち変更されたＴＡＵ動作が用いられる）ように更新動作を実施することが有利には可能である。追加のトリガの適用のみを用いた本発明による（ＴＳ２３．２７２のバージョン９．５．０及びＴＳ２３．４０１のバージョン９．６．０等の現在の標準規格に関する）ＴＡＵ動作の変更の結果、主に追加のＴＡＵ動作である変更されたＴＡＵ動作となる。
【００５２】
標準のＴＡＵ動作及び追加の又は変更されたＴＡＵ動作が時間的に近接して実行されることになる任意の状況において、本発明によれば、追加のＴＡＵ動作又は変更されたＴＡＵ動作のみが（すなわち標準のＴＡＵ動作の代わりに）実行されることが可能であり好ましい。
【００５３】
本発明の更に別の好ましい実施の形態によれば、更新動作の目的で（新たな）専用動作（ユーザ機器とネットワークとの間のメッセージの交換）が用いられることが有利には可能である。
【００５４】
本発明の更に別の好ましい実施の形態によれば、ＴＡＵ動作、変更されたＴＡＵ動作及び専用動作の組み合わせが更新動作の目的で用いられることが有利には可能である。
【００５５】
本発明によれば、フォールバック動作が切迫しているときにフォールバック動作に適したターゲットセルが既に知られていることを確実にする方法を提供することが更に有利には可能である。
【００５６】
例えば第３世代パートナーシッププロジェクト（３ＧＰＰ）ＴＳ２３．２７２、例えば２０１０年９月のバージョン９．５．０による標準回線交換フォールバック（ＣＳＦＢ）において、その時点における可能なターゲットセルを特定する目的で測定を行うことによってフォールバックが起動されるときに、ネットワークはフォールバック動作に適したＧＥＲＡＮ／ＵＴＲＡＮターゲットセルを選択することができる。代替的に、被る呼設定遅延を回避するために測定が実行されない場合（「ブラインドハンドオーバ」）、フォールバック失敗の確率が増大する。
【００５７】
本発明によれば、ユーザ機器の現在のＧＥＲＡＮ／ＵＴＲＡＮ無線環境（受信可能な近傍セル／潜在的なＣＳＦＢターゲットセル）に関する測定動作を用いて、ＣＳＦＢのためのより高いサービスレベルを達成することが有利には可能である。したがって、
−−「ブラインドハンドオーバ」によって生じるフォールバック失敗のリスクを回避するのみでなく、
−−フォールバックが起動されたときに適切なＣＳＦＢターゲットセルを特定する目的でＧＥＲＡＮ／ＵＴＲＡＮ近傍セル測定をトリガすることによって、標準ＣＳＦＢによって被る余分な呼設定遅延を回避する、
ことが有利には可能である。ＧＳＭ／ＵＭＴＳモバイル通信ネットワークにおけるユーザ機器の現在のＧＥＲＡＮ／ＵＴＲＡＮ無線環境に関する測定動作によって、潜在的なＣＳＦＢターゲットセルのアイデンティティ及び信号強度及び品質等の必要な現在のＧＥＲＡＮ／ＵＴＲＡＮ近傍セル知識が、フォールバックが起動されるときに既に存在していることを保証することが可能である。これは、端末が、以下の方法のうちの１つ又は複数を用いて、フォールバックイベントの前にそのような情報を積極的に取得することによって達成することができる。
−−端末が自身のＧＥＲＡＮ／ＵＴＲＡＮ無線環境を定期的に測定する（単一無線端末ではこれは特にユーザ機器がＥ−ＵＴＲＡＮにおいてアクティブであるときに幾らか制限される可能性がある）、
−−端末が第２の無線インタフェース（又は第２の受信機）によって自身のＧＥＲＡＮ／ＵＴＲＡＮ無線環境を測定する、
−−測定をアクティベートするためのトリガが上記で説明した更新動作のためのトリガと同じ場合、端末が自身のＧＥＲＡＮ／ＵＴＲＡＮ無線環境を時々測定する、
−−ユーザ機器の（回線交換（ＣＳ））関連アプリケーション、例えば電話アプリケーションが「モバイル発信フォールバック(mobile oriented fallback)」を予期してＧＵＩ（グラフィカルユーザインタフェース）を介してアクティベートされるとき、端末が自身のＧＥＲＡＮ／ＵＴＲＡＮ無線環境を測定する。
【００５８】
本発明によれば、端末はネットワークへの測定アクティブティをシグナリングしないことが好ましい。むしろ、端末は上記の方法の使用に従って自身の更新されたＧＥＲＡＮ／ＵＴＲＡＮ近傍セル情報を取得し、それに加えて、近傍セル情報が期限切れ（「古すぎる」）のときを判断するのに検証タイマが用いられることが好ましい。この検証タイマ（特に、所定の時間間隔を規定するか又はユーザ機器の移動状態に依拠する）を他の情報と組み合わせて、上記で説明したような端末の移動又は全体無線環境の変更等の現在のＧＥＲＡＮ／ＵＴＲＡＮ近傍セル情報が期限切れであるか否かを判断することができる。
【００５９】
本発明によれば、ユーザ機器の現在のＧＥＲＡＮ／ＵＴＲＡＮ無線環境に関する測定によって、フォールバックが発生し、ネットワークが端末に近傍セル測定を実行するように要求するとき、次に端末が自身の現在記憶している近傍セル情報を、すなわち上記で説明したような自身の最新の情報取得に従って即座に返し、次に端末が自身の測定結果をネットワークに返し、回線交換フォールバック（ＣＳＦＢ）手順が通常通り（すなわち第３世代パートナーシッププロジェクト（３ＧＰＰ）標準規格に従って）継続することが有利である。代替的に、本発明によれば、ユーザ機器が現在「期限切れ」を宣言されていない場合にのみユーザ機器がこの情報を返し、そうでない場合、フォールバックが行われる時点にのみ新たな測定を実行することも可能である。フォールバック時の新たな測定の場合、３ＧＰＰにおいて規定されるような標準ＣＳＦＢを上回るサービスレベルの利点が存在しないので、本発明によれば、ＧＥＲＡＮ／ＵＴＲＡＮ無線環境に関する端末の情報が期限切れとなる状態を回避することが好ましい。
【００６０】
本発明の更に好ましい実施の形態によれば、前記ＧＳＭ／ＵＭＴＳモバイル通信ネットワーク内の前記ユーザ機器の前記現在のＧＥＲＡＮ／ＵＴＲＡＮ無線環境に関する前記測定動作は、
−−前記ユーザ機器の前記現在のＧＥＲＡＮ／ＵＴＲＡＮ無線環境に関する前記測定動作が所定の繰返し期間を有すること、
−−サービス提供Ｅ−ＵＴＲＡＮセルが変更された場合に前記ユーザ機器の前記現在のＧＥＲＡＮ／ＵＴＲＡＮ無線環境に関する前記測定動作が実行されること、
−−前記ユーザ機器が該ユーザ機器の移動を検出した場合に、前記ユーザ機器の前記現在のＧＥＲＡＮ／ＵＴＲＡＮ無線環境に関する前記測定動作が実行されること、
−−前記ユーザ機器が、フォールバック動作のための候補ターゲットＧＥＲＡＮ／ＵＴＲＡＮセルのうちの少なくとも１つが、前記ユーザ機器に現在割り当てられているのと異なるロケーションエリアに属することを検出した場合に、前記ユーザ機器の前記現在のＧＥＲＡＮ／ＵＴＲＡＮ無線環境に関する前記測定動作が実行されること、
のうちの少なくとも１つに依拠する。
【００６１】
本発明の更なる実施の形態によれば、［００５７］〜［００５９］において説明したような潜在的なＣＳＦＢターゲットセルのアイデンティティは、上記セルのＬＡＩを含むことが好ましい。このとき、現在ユーザ機器に割り当てられているロケーションエリア内のセルが好ましくは選択されるように実際のＣＳＦＢターゲットセルが選択されるときに、ネットワークによってＬＡＩが考慮に入れられ、それによって、ターゲットセルにおけるＬＡＵの必要性がなくなる。代替的に、［００５７］〜［００５９］）において説明したようなネットワークに返される測定結果内にそのようなセルが特定されていない場合、そのＬＡＩがユーザ機器に現在割当てられているのと同じＭＳＣによってサービス提供されていることが知られているセルが選択され、それによってＭＳＣミスマッチの発生がなくなる。
【００６２】
言及したメカニズムのそれぞれを端末によって自律的に実行することもできるし、ネットワークによって命令された場合及び命令されたときに実行することもできる。測定の周期性、ロケーション変更の最小量等のパラメータは、端末によって自律的に求める（例えばＧＵＩを介して事前構成又は構成する）こともできるし、シグナリング又はＯＴＡメカニズムを介してネットワークによって設定することもできる。
【００６３】
本発明によれば、ユーザ機器は第１の無線インタフェース及び第２の無線インタフェースを含み、第１の無線インタフェースは発展型パケットシステム（ＥＰＳ）におけるユーザ機器の通信のために用いることができ、第２の無線インタフェースは、ＧＳＭ／ＵＭＴＳモバイル通信ネットワークにおけるユーザ機器の通信のために、又は少なくともユーザ機器の無線環境を測定するために用いることができることが更に好ましい。ユーザ機器の現在の全体無線環境に関する監視動作、又は受信可能なＧＥＲＡＮ／ＵＴＲＡＮ近傍セルに関する測定動作、又はＣＳＦＢのための候補ターゲットセル（のうちの幾つか）（すなわち受信可能なＧＥＲＡＮ／ＵＴＲＡＮ近傍セル）がユーザ機器に現在割り当てられているのと異なるロケーションエリアに属することを検出する観察は、第２の無線インタフェースを用いて実行される。
【００６４】
したがって、本発明によれば、第１の無線インタフェースは発展型パケットシステム（ＥＰＳ）との通信を保証し、第２の無線インタフェースは上記で説明した監視／測定／観察動作（複数の場合もある）を提供することが有利には可能である。この挙動は、その全体を引用することにより本明細書の一部をなすものとする、２０１０年１２月２９日に出願された欧州特許出願第１００１６１６４．５号に記載されている回線交換フォールバック（ＣＳＦＢ）メカニズムと組み合わせることが可能である。代替的に、上記で説明した監視／測定／観察動作（複数の場合もある）を提供する機能は、（デュアル無線回線交換フォールバック（ＣＳＦＢ）と一切関係なく）ユーザ機器において第２の無線インタフェース又は第２の受信機のみ（すなわち完全な無線インタフェースでない）を加えることによって実行することもできる。
【００６５】
本発明は、発展型パケットシステム（ＥＰＳ）モバイル通信ネットワークのコアネットワークにアタッチされたユーザ機器によるＧＳＭ／ＵＭＴＳモバイル通信ネットワークの使用のためのユーザ機器にも関する。ＧＳＭ／ＵＭＴＳモバイル通信ネットワークの使用はフォールバック動作の結果であり、ユーザ機器は、
−−ユーザ機器へのロケーションエリアコード（ＬＡＣ）及び／又はサービス提供モバイル交換局（ＭＳＣ）の割当てに関する更新動作が実行され、更新動作は、
−−ロケーションエリアコード（ＬＡＣ）及び／又はサービス提供モバイル交換局（ＭＳＣ）の割当て又は再割当てに特化した専用動作、又は、
−−変更されたＴＡＵ動作、
であり、及び／又は、
−−ユーザ機器の潜在的なＣＳＦＢターゲットセルを特定するための、現在のＧＥＲＡＮ／ＵＴＲＡＮ無線環境に関するる測定動作が、フォールバック動作をトリガするサービスの起動の前に、前記ユーザ機器によって自律的に実行される、
ように提供される。
【００６６】
本発明によれば、更新動作の実行は、タイマ３４１２を用いたＴＡＵ動作と比較して低減した反復期間、サービス提供Ｅ−ＵＴＲＡＮセルが変更される場合の更新動作の実行、アクティブモードからアイドルモードに最後に変更した後の最大時間期間後の実行等、上記で説明したような複数のトリガのうちの少なくとも１つに依拠することが好ましい。
【００６７】
さらに、本発明によれば、更新動作は上記で説明したような少なくとも情報の交換を含むことが好ましい。
【００６８】
本発明によれば、
前記ＧＳＭ／ＵＭＴＳモバイル通信ネットワーク内の前記ユーザ機器の前記現在の無線環境に関する前記測定動作は、
−−前記ユーザ機器の前記現在のＧＥＲＡＮ／ＵＴＲＡＮ無線環境に関する前記測定動作が所定の繰返し期間を有すること、
−−サービス提供Ｅ−ＵＴＲＡＮセルが変更された場合に前記ユーザ機器の前記現在のＧＥＲＡＮ／ＵＴＲＡＮ無線環境に関する前記測定動作が実行されること、
−−前記ユーザ機器が該ユーザ機器の移動を検出した場合に、前記ユーザ機器の前記現在のＧＥＲＡＮ／ＵＴＲＡＮ無線環境に関する前記測定動作が実行されること、
−−前記ユーザ機器が、フォールバック動作のための候補ターゲットＧＥＲＡＮ／ＵＴＲＡＮセルのうちの少なくとも１つが、前記ＵＥに現在割り当てられているのと異なるロケーションエリアに属することを検出した場合に、前記ユーザ機器の前記現在のＧＥＲＡＮ／ＵＴＲＡＮ無線環境に関する前記測定動作が実行されること、
−−ＧＳＭ／ＵＭＴＳ接続性を通常要求する前記ユーザ機器のアプリケーション、特に電話アプリケーションがアクティベートされた場合に、前記ユーザ機器の前記現在のＧＥＲＡＮ／ＵＴＲＡＮ無線環境に関する前記測定動作が実行されること、
のうちの少なくとも１つに依拠することが更に好ましい。
【００６９】
さらに、
−−ユーザ機器が、そのユーザ機器の移動又は位置の変化を検出するために、
−−ＧＮＳＳ（全地球的航法衛星システム）モジュール、及び／又は
−−加速度センサ、
を備えること、及び／又は
ユーザ機器が第１の無線インタフェース及び第２の無線インタフェースを備え、第１の無線インタフェースは発展型パケットシステム（ＥＰＳ）における前記ユーザ機器の通信のために用いることができ、第２の無線インタフェースは、ＧＳＭ／ＵＭＴＳモバイル通信ネットワークにおけるユーザ機器の通信のために（又は少なくともユーザ機器の無線環境を測定するために用いることができることが好ましい。ユーザ機器の現在の全体無線環境に関する監視動作、又は受信可能なＧＥＲＡＮ／ＵＴＲＡＮ近傍セルに関する測定動作、又はＣＳＦＢのための候補ターゲットセル（のうちの幾つか）（すなわち受信可能なＧＥＲＡＮ／ＵＴＲＡＮ近傍セル）がユーザ機器に現在割り当てられているのと異なるロケーションエリアに属することを検出する観察は、第２の無線インタフェースを用いて実行される。
【００７０】
本発明はまた、コアネットワークにアタッチされたユーザ機器によるＧＳＭ／ＵＭＴＳモバイル通信ネットワークの使用のための発展型パケットシステム（ＥＰＳ）モバイル通信ネットワークの該コアネットワークであって、前記ＧＳＭ／ＵＭＴＳモバイル通信ネットワークの前記使用はフォールバック動作の結果であり、前記更新動作が前記ロケーションエリアコード（ＬＡＣ）及び／又は前記サービス提供モバイル交換局（ＭＳＣ）の前記割当て又は再割当てに特化した専用動作、又は変更されたＴＡＵ動作であり、及び／又は前記ユーザ機器（２０）の潜在的なＣＳＦＢターゲットセルを特定するための、現在のＧＥＲＡＮ／ＵＴＲＡＮ無線環境に関する測定動作が前記ユーザ機器によって自律的に実行されるように前記ユーザ機器が提供される、コアネットワークに関する。
【００７１】
さらに、本発明は、コアネットワークにアタッチされたユーザ機器によるＧＳＭ／ＵＭＴＳモバイル通信ネットワークの使用のために、発展型パケットシステム（ＥＰＳ）モバイル通信ネットワークの前記コアネットワークにアタッチされた前記ユーザ機器（２０）を制御するためのコンピュータ可読プログラムコードを含むプログラムであって、前記ＧＳＭ／ＵＭＴＳモバイル通信ネットワークの前記使用はフォールバック動作の結果であり、前記更新動作が前記ロケーションエリアコード（ＬＡＣ）及び／又は前記サービス提供モバイル交換局（ＭＳＣ）の前記割当て又は再割当てに特化した専用動作、又は変更されたＴＡＵ動作であり、及び／又は該ユーザ機器の潜在的なＣＳＦＢターゲットセルを特定するための、現在のＧＥＲＡＮ／ＵＴＲＡＮ無線環境に関する測定動作が前記ユーザ機器によって自律的に実行されるように前記ユーザ機器が提供される、プログラムに関する。
【００７２】
本発明は、本発明によるプログラムを含むコンピュータプログラム製品にも関する。
【００７３】
本発明のこれらの特性、特徴、及び利点、並びに他の特性、特徴、及び利点は、以下の詳細な説明を、添付の図面と併せて考慮した場合に、これらから明らかになるであろう。添付の図面は、本発明の原理を例として示す。明細書本文は、本発明の範囲を限定することなく、例示のためにのみ与えられる。以下に引用する参照図は添付の図面を指す。
【図面の簡単な説明】
【００７４】
【図１】発展型パケットシステム（ＥＰＳ）及びＧＳＭ／ＵＭＴＳ無線アクセスネットワークにアタッチされたユーザ機器（又は端末）を概略的に示す図である。
【図２】２つの異なる無線アクセスネットワークの多数の無線セルを概略的に示す図である。
【発明を実施するための形態】
【００７５】
本発明は、特定の実施形態に関して或る図面を参照して説明されるが、本発明はそれらに限定されるものではなく、特許請求の範囲によってのみ限定される。説明される図面は単に概略的なものであり、非限定的である。図面において、要素のうちのいくつかの大きさは誇張されている場合があり、説明の目的で縮尺通りに描かれていない場合がある。
【００７６】
数量が特定されていない名詞（a singular noun）を参照するときに数量を特定しない表現が用いられている場合（"a","an","the"）、これは特に別段の指定がない限り、単数及び複数の該名詞を含む。
【００７７】
さらに、明細書及び特許請求の範囲における第１の、第２の、第３の等の用語は、類似した要素間で区別するために用いられ、必ずしも順番又は時系列を説明するために用いられるものではない。このように用いられる用語は、適切な状況下で交換可能であること、及び本明細書において説明される本発明の実施形態は、本明細書に説明又は例示されるもの以外の順序で動作可能であることを理解されたい。
【００７８】
図１において、コアネットワーク１０にアタッチされたユーザ機器２０（又は端末２０）が概略的に示されている。コアネットワーク１０は発展型パケットシステム（ＥＰＳ）及びＧＳＭ／ＵＭＴＳモバイル通信ネットワークのＣＳドメインのコアネットワーク１０である。一実施形態によれば、ユーザ機器２０は第１の無線インタフェース２１及び第２の無線インタフェース２２を含む。それによって、本発明によれば、異なる無線部又は無線モジュールを用いて、
−−例えばＰＳＴＮ（公衆交換電話網）３１に（例えばＰＳＴＮに発呼するために）接続することができるコアネットワーク１０の回線交換（ＣＳ）部に向けたＧＥＲＡＮ／ＵＴＲＡＮ無線アクセスを介して、及び
−−例えばインターネット３２に（例えばウェブページにアクセスするために）接続することができるコアネットワーク１０のパケット交換（ＰＳ）部へのＥ−ＵＴＲＡＮ無線アクセスを介して、
同時アクセスをサポートすることが可能である。
【００７９】
代替的に、第１の無線インタフェース２１を用いて、コアネットワーク１０の回線交換（ＣＳ）部に向けたＧＥＲＡＮ／ＵＴＲＡＮ無線アクセスを介するアクセス及びコアネットワーク１０のパケット交換（ＰＳ）部へのＥ−ＵＴＲＡＮ無線アクセスを介するアクセス（特に回線交換フォールバック（ＣＳＦＢ）動作を用いるがサポートされる。第２の無線インタフェース２２は、（全体）無線環境及びユーザ機器２０の受信可能なＧＥＲＡＮ／ＵＴＲＡＮ近傍セルのＬＡＣを監視、観察又は測定するのに用いられる。
【００８０】
本発明の代替的な実施形態（図１には示さず）によれば、ユーザ機器２０は第１の無線インタフェース２１のみを含み、第２の無線インタフェースを含まない。
【００８１】
本発明のまた別の代替的な実施形態によれば、第２の無線インタフェース２２は、（全体）無線環境及びユーザ機器２０の受信可能なＧＥＲＡＮ／ＵＴＲＡＮ近傍セルのＬＡＣを監視／観察／測定するための単なる受信機要素である。
【００８２】
コアネットワーク１０のパケット交換（ＰＳ）部は、ユーザ機器２０に関連するモビリティ管理エンティティ（ＭＭＥ）及びＳＧＷ／ＰＧＷ（ＳＧＷ：サービングゲートウェイ、ＰＧＷ：パケットデータゲートウェイ）エンティティを備える。コアネットワーク１０の回線交換（ＣＳ）部はモバイル交換局（ＭＳＣ）を備える。
【００８３】
図２では、２つの異なる無線アクセスネットワークの多数の無線セルが概略的に示されている。無線セルの大きさが異なることにより、結果として追跡エリア（ＴＡ）とロケーション（ＬＡ）とのミスマッチが生じることになる。例えば、小さなネットワークセルは発展型パケットシステム（ＥＰＳ）セルであり、それらのうちの複数が一意の追跡エリアコード（ＴＡＣ）を有し、大きなネットワークセルはＧＳＭ／ＵＭＴＳセル（又はＧＥＲＡＮ／ＵＴＲＡＮセル）であり、それらのうちの複数が一意のロケーションエリアコード（ＬＡＣ）を有する。見てとることができるように、この例では、ユーザ機器の追跡エリアの知識に基づいて一意のロケーションエリア（ＬＡ）をマッピングすることが不可能である。
【００８４】
実施形態：
第１の実施形態：発展型パケットシステム（ＥＰＳ）モバイル通信ネットワークのコアネットワーク（１０）にアタッチされたユーザ機器（２０）によるＧＳＭ／ＵＭＴＳモバイル通信ネットワークの使用方法であって、ＧＳＭ／ＵＭＴＳモバイル通信ネットワークの使用はフォールバック動作の結果であり、フォールバック動作をトリガするサービスの起動前に、
−−ユーザ機器（２０）へのロケーションエリアコード（ＬＡＣ）及び／又はサービス提供モバイル交換局（ＭＳＣ）の割当てに関する更新動作が行われるステップであって、更新動作は追加のＴＡＵ（追跡エリア更新）動作又は変更されたＴＡＵ動作又は専用動作である、ステップ、及び／又は
−−ユーザ機器（２０）の現在のＧＥＲＡＮ／ＵＴＲＡＮ無線環境に関する測定動作が実行されるステップ、
のうちの少なくとも１つが行われる、方法。
【００８５】
第２の実施形態：ユーザ機器（２０）の現在のＧＥＲＡＮ／ＵＴＲＡＮ無線環境に関する更新動作及び／又は測定動作は、ユーザ機器（２０）が発展型パケットシステム（ＥＰＳ）及びＧＳＭ／ＵＭＴＳモバイル通信ネットワークにアタッチされている場合に実行される、第１の実施形態による方法。
【００８６】
第３の実施形態：更新動作の実行は、
−−更新動作が、タイマ３４１２を用いたＴＡＵ動作と比較して低減した反復期間を有すること、
−−サービス提供Ｅ−ＵＴＲＡＮセルが変更される場合に更新動作が実行されること、
−−最後の更新動作の後又はユーザ機器（２０）がアクティブモードからアイドルモードに最後に変更した後の最大時間期間後に更新動作が実行されること、
−−更新動作が、コアネットワーク（１０）からの要求時に実行されること、
−−ユーザ機器（２０）がユーザ機器（２０）の移動を検出した場合に更新動作が実行されること、
−−ユーザ機器（２０）が、フォールバック動作のための候補ターゲットＧＥＲＡＮ／ＵＴＲＡＮセルのうちの少なくとも１つが、ユーザ機器（２０）に現在割り当てられているのと異なるロケーションエリアに属することを検出した場合に更新動作が実行されること、
のうちの少なくとも１つに依拠する、先行する実施形態のうちの１つによる方法。
【００８７】
第４の実施形態：更新動作は、
−−前回の更新動作からのユーザ機器（２０）の移動に関する移動情報、
−−現在の受信可能なＧＥＲＡＮ／ＵＴＲＡＮ近傍セル及び／又はそれらのロケーションエリアに関する無線環境情報、
−−現在の受信可能なＥ−ＵＴＲＡＮ近傍セル及び／又はそれらの追跡エリアに関する無線環境情報、
のうちの少なくとも１つに依拠して少なくとも情報を交換することを含む、先行する実施形態のうちの１つによる方法。
【００８８】
第５の実施形態：ＧＳＭ／ＵＭＴＳモバイル通信ネットワーク内のユーザ機器（２０）の現在のＧＥＲＡＮ／ＵＴＲＡＮ無線環境に関する測定動作は、
−−ユーザ機器（２０）の現在のＧＥＲＡＮ／ＵＴＲＡＮ無線環境に関する測定動作が所定の繰返し期間を有すること、
−−サービス提供Ｅ−ＵＴＲＡＮセルが変更された場合にユーザ機器（２０）の現在のＧＥＲＡＮ／ＵＴＲＡＮ無線環境に関する測定動作が実行されること、
−−ユーザ機器（２０）がアクティブモードからアイドルモードに最後に変更した後の最大時間期間後にユーザ機器（２０）の現在のＧＥＲＡＮ／ＵＴＲＡＮ無線環境に関する測定動作が実行されること、
−−ユーザ機器（２０）がユーザ機器（２０）の移動を検出した場合に、ユーザ機器（２０）の現在のＧＥＲＡＮ／ＵＴＲＡＮ無線環境に関する測定動作が実行されること、
−−ユーザ機器（２０）が、フォールバック動作のための候補ターゲットＧＥＲＡＮ／ＵＴＲＡＮセルのうちの少なくとも１つが、ユーザ機器（２０）に現在割り当てられているのと異なるロケーションエリアに属することを検出した場合に、ユーザ機器（２０）の現在のＧＥＲＡＮ／ＵＴＲＡＮ無線環境に関する測定動作が実行されること、
−−ＧＳＭ／ＵＭＴＳ接続性を通常要求するユーザ機器（２０）のアプリケーション、特に電話アプリケーションがアクティベートされた場合に、ユーザ機器（２０）の現在のＧＥＲＡＮ／ＵＴＲＡＮ無線環境に関する測定動作が実行されること、
のうちの少なくとも１つに依拠する、先行する実施形態のうちの１つによる方法。
【００８９】
第６の実施形態：ユーザ機器（２０）は第１の無線インタフェース（２１）及び第２の無線インタフェース（２２）を含み、第１の無線インタフェース（２１）は発展型パケットシステム（ＥＰＳ）におけるユーザ機器（２０）の通信のために用いることができ、第２の無線インタフェース（２２）は、
−−ユーザ機器（２０）の現在の全体無線環境に関する監視動作、又は
−−受信可能なＧＥＲＡＮ／ＵＴＲＡＮ近傍セルに関する測定動作、又は
−−ＣＳＦＢのための候補ターゲットセル（のうちの幾つか）がユーザ機器（２０）に現在割り当てられているのと異なるロケーションエリアに属することを検出する観察、
のうちの少なくとも１つのために用いることができる、先行する実施形態のうちの１つによる方法。
【００９０】
第７の実施形態：発展型パケットシステム（ＥＰＳ）モバイル通信ネットワークのコアネットワーク（１０）にアタッチされたユーザ機器（２０）によるＧＳＭ／ＵＭＴＳモバイル通信ネットワークの使用のためのユーザ機器（２０）であって、ＧＳＭ／ＵＭＴＳモバイル通信ネットワークの使用はフォールバック動作の結果であり、ユーザ機器（２０）へのロケーションエリアコード（ＬＡＣ）及び／又はサービス提供モバイル交換局（ＭＳＣ）の割当てに関する更新動作、及び／又はユーザ機器（２０）の現在のＧＥＲＡＮ／ＵＴＲＡＮ無線環境に関する測定動作が、フォールバック動作をトリガするサービスの起動の前に実行されるようにユーザ機器（２０）が提供され、更新動作は、追加のＴＡＵ（追跡エリア更新）動作又は変更されたＴＡＵ動作又は専用動作である、ユーザ機器。
【００９１】
第８の実施形態：更新動作の実行は、
−−更新動作が、タイマ３４１２を用いたＴＡＵ動作と比較して低減した反復期間を有すること、
−−サービス提供Ｅ−ＵＴＲＡＮセルが変更される場合に更新動作が実行されること、
−−最後の更新動作の後又はアクティブモードからアイドルモードに最後に変更した後の最大時間期間後に更新動作が実行されること、
−−更新動作が、コアネットワーク（１０）からの要求時に実行されること、
−−ユーザ機器（２０）がユーザ機器（２０）の移動を検出した場合に更新動作が実行されること、
−−ユーザ機器（２０）が、フォールバック動作のための候補ターゲットＧＥＲＡＮ／ＵＴＲＡＮセルのうちの少なくとも１つが、ユーザ機器（２０）に現在割り当てられているのと異なるロケーションエリアに属することを検出した場合に更新動作が実行されること、
のうちの少なくとも１つに依拠する、第７の実施形態によるユーザ機器（２０）。
【００９２】
第９の実施形態：更新動作は、
−−前回の更新動作からのユーザ機器（２０）の移動に関する移動情報、
−−現在の受信可能なＧＥＲＡＮ／ＵＴＲＡＮ近傍セル及び／又はそれらのロケーションエリアに関する無線環境情報、
−−現在の受信可能なＥ−ＵＴＲＡＮ近傍セル及び／又はそれらの追跡エリアに関する無線環境情報、
のうちの少なくとも１つに依拠して少なくとも情報を交換することを含む、第７の実施形態又は第８の実施形態によるユーザ機器（２０）。
【００９３】
第１０の実施形態：ＧＳＭ／ＵＭＴＳモバイル通信ネットワーク内のユーザ機器（２０）の現在のＧＥＲＡＮ／ＵＴＲＡＮ無線環境に関する測定動作は、
−−ユーザ機器（２０）の現在のＧＥＲＡＮ／ＵＴＲＡＮ無線環境に関する測定動作が所定の繰返し期間を有すること、
−−サービス提供Ｅ−ＵＴＲＡＮセルが変更された場合にユーザ機器（２０）の現在のＧＥＲＡＮ／ＵＴＲＡＮ無線環境に関する測定動作が実行されること、
−−ユーザ機器（２０）がアクティブモードからアイドルモードに最後に変更した後の最大時間期間後にユーザ機器（２０）の現在のＧＥＲＡＮ／ＵＴＲＡＮ無線環境に関する測定動作が実行されること、
−−更新動作が、コアネットワーク（１０）からの要求時に実行されること、
−−ユーザ機器（２０）がユーザ機器（２０）の移動を検出した場合に、ユーザ機器（２０）の現在のＧＥＲＡＮ／ＵＴＲＡＮ無線環境に関する測定動作が実行されること、
−−ユーザ機器（２０）が、フォールバック動作のための候補ターゲットＧＥＲＡＮ／ＵＴＲＡＮセルのうちの少なくとも１つが、ユーザ機器（２０）に現在割り当てられているのと異なるロケーションエリアに属することを検出した場合に、ユーザ機器（２０）の現在のＧＥＲＡＮ／ＵＴＲＡＮ無線環境に関する測定動作が実行されること、
−−ＧＳＭ／ＵＭＴＳ接続性を通常要求するユーザ機器（２０）のアプリケーション、特に電話アプリケーションがアクティベートされた場合に、ユーザ機器（２０）の現在のＧＥＲＡＮ／ＵＴＲＡＮ無線環境に関する測定動作が実行されること、
のうちの少なくとも１つに依拠する、第７〜第９の実施形態のうちの１つによるユーザ機器（２０）。
【００９４】
第１１の実施形態：ユーザ機器（２０）は、ユーザ機器（２０）の移動又は位置の変化を検出するために、
−−ＧＮＳＳ（全地球的航法衛星システム）モジュール、及び／又は
−−加速度センサ、
を備える、第７〜第１０の実施形態のうちの１つによるユーザ機器（２０）。
【００９５】
第１２の実施形態：ユーザ機器（２０）は第１の無線インタフェース（２１）及び第２の無線インタフェース（２２）を備え、第１の無線インタフェース（２１）は発展型パケットシステム（ＥＰＳ）におけるユーザ機器（２０）の通信のために用いることができ、第２の無線インタフェース（２２）は、
−−ユーザ機器（２０）の現在の全体無線環境に関する監視動作、又は
−−受信可能なＧＥＲＡＮ／ＵＴＲＡＮ近傍セルに関する測定動作、又は
−−ＣＳＦＢのための候補ターゲットセル（のうちの幾つか）がユーザ機器（２０）に現在割り当てられているのと異なるロケーションエリアに属することを検出する観察、
のうちの少なくとも１つのために用いることができる、第７〜第１１の実施形態のうちの１つによるユーザ機器（２０）。
【００９６】
第１３の実施形態：コアネットワーク（１０）にアタッチされたユーザ機器（２０）によるＧＳＭ／ＵＭＴＳモバイル通信ネットワークの使用のための発展型パケットシステム（ＥＰＳ）モバイル通信ネットワークのコアネットワーク（１０）であって、ＧＳＭ／ＵＭＴＳモバイル通信ネットワークの使用はフォールバック動作の結果であり、ユーザ機器（２０）へのロケーションエリアコード（ＬＡＣ）及び／又はサービス提供モバイル交換局（ＭＳＣ）の割当てに関する更新動作、及び／又はユーザ機器（２０）の現在のＧＥＲＡＮ／ＵＴＲＡＮ無線環境に関する測定動作が、フォールバック動作をトリガするサービスの起動の前に実行されるようにユーザ機器（２０）が提供され、更新動作は、追加のＴＡＵ（追跡エリア更新）動作又は変更されたＴＡＵ動作又は専用動作である、コアネットワーク。
【００９７】
第１４の実施形態：コアネットワーク（１０）にアタッチされたユーザ機器（２０）によるＧＳＭ／ＵＭＴＳモバイル通信ネットワークの使用のために、発展型パケットシステム（ＥＰＳ）モバイル通信ネットワークのコアネットワーク（１０）にアタッチされたユーザ機器（２０）を制御するためのコンピュータ可読プログラムコードを含むプログラムであって、ＧＳＭ／ＵＭＴＳモバイル通信ネットワークの使用はフォールバック動作の結果であり、ユーザ機器（２０）へのロケーションエリアコード（ＬＡＣ）及び／又はサービス提供モバイル交換局（ＭＳＣ）の割当てに関する更新動作、及び／又はユーザ機器（２０）の現在のＧＥＲＡＮ／ＵＴＲＡＮ無線環境に関する測定動作が、フォールバック動作をトリガするサービスの起動の前に実行されるようにユーザ機器（２０）が提供され、更新動作は、追加のＴＡＵ（追跡エリア更新）動作又は変更されたＴＡＵ動作又は専用動作である、プログラム。
【図１】
2014511585.tif 000003
【図２】
2014511585.tif 000004
【国際調査報告】
2014511585.tif 000005
2014511585.tif 000006
2014511585.tif 000007